(57)【特許請求の範囲】
【請求項１】
浄化槽設備を敷設する方法であって、擁護壁部材配置工程と、擁護壁部材結合工程と、浄化槽配置工程とを含み、
前記浄化槽設備は、少なくとも１つの浄化槽と、複数の擁護壁部材と、結合具とを含み、
前記擁護壁部材は、予め工場で製造されるものであって、本体と、ねじ孔とを含み、
前記本体は、水平方向及び垂直方向を含むＬ字状の形状であって、第１のＬ字状側面と、第２のＬ字状側面と、第１の内面と、第２の内面とを有しており、
前記第１及び第２のＬ字状側面は、互いに反対側に設けられ、
前記第１の内面は、前記第１のＬ字状側面と前記第２のＬ字状側面との間に設けられ、第１の側縁と、第２の側縁と、第３の側縁とを備え、
前記第１の側縁は、前記第１の内面と、前記第１のＬ字状側面との間に備えられ、
前記第２の側縁は、前記第１の内面と、前記第２のＬ字状側面との間に備えられ、
前記第３の側縁は、前記第１の側縁の一端から前記第２の側縁の一端まで延びて備えられ、前記第２の側縁の前記一端が前記第１の側縁の前記一端とは反対側にあり、
前記第２の内面は、前記第１のＬ字状側面と前記第２のＬ字状側面との間に設けられ、第４の側縁と、第５の側縁と、第６の側縁とを備え、前記第１の内面の一端側から立ち上がっており、
前記第４の側縁は、前記第２の内面と前記第１のＬ字状側面との間に備えられ、
前記第５の側縁は、前記第２の内面と前記第２のＬ字状側面との間に備えられ、
前記第６の側縁は、前記第４の側縁の一端から前記第５の側縁の一端まで延びて備えられ、前記第５の側縁の前記一端が前記第４の側縁の前記一端とは反対側にあり、
前記ねじ孔は、第１の孔と、第２の孔と、第３の孔とを含み、
前記第１の孔は、前記第１の内面であって、前記第１のＬ字状側面と前記第２のＬ字状側面との中間部分であり、前記第３の側縁に近接する部分に設けられ、
前記第２の孔は、前記第２の内面であって、前記第４の側縁及び前記第６の側縁に近接する部分に設けられ、
前記第３の孔は、前記第２の内面であって、前記第５の側縁及び前記第６の側縁に近接する部分に設けられ、
前記複数の前記擁護壁部材は、前記第１の内面の前記第３の側縁が互いに向かい合う鏡像の関係となるように配置され、前記配置された状態で向かい合う前記第１の孔が、前記結合具によって結合されており、
前記浄化槽設備を敷設するにあたり、
前記擁護壁部材配置工程では、前記第１の孔、前記第２の孔、及び、前記第３の孔のそれぞれにリング状ヘッドを有するボルトをねじ止めし、前記リング状ヘッドにケーブルを接続して穴の内部に吊り下げし、前記穴の底部に前記複数の擁護壁部材を前記鏡像の関係となるように配置した後、前記ボルトを取り外し、
次に、前記擁護壁部材結合工程では、前記鏡像の関係となるように配置された前記複数の前記擁護壁部材において、隣接する前記第１の孔を前記結合具によって結合し、
次に、前記浄化槽配置工程では、前記複数の擁護壁部材の前記第１の内面上に前記少なくとも１つの浄化槽を配置する、
浄化槽設備敷設方法。
【発明の詳細な説明】
【０００１】
【発明の属する技術分野】
本発明は、浄化槽用擁護壁部材及び浄化槽設備敷設方法に関する。
【０００２】
【従来の技術】
浄化槽を地中に敷設する場合、従来は、浄化槽またはその付属物の大きさに合わせた穴を掘削した後、コンクリート基板を、穴の底部に敷設する。更に、浄化槽敷設現場において、穴の側面にコンクリート擁壁部を打設する。コンクリート擁壁部の打設工事では、例えば、穴に枠を形成してコンクリートを流し込む作業を行い、コンクリートの硬化を待つ。この後、コンクリート基板の上に浄化槽を載置する。浄化槽は、コンクリート基板により支持され、コンクリート擁壁部により側圧から擁護される。
【０００３】
従来の浄化槽設備敷設方法が抱える問題点は、コンクリート擁壁部の打設工事のために、浄化槽設備の敷設に要する期間が長くなることである。
【０００４】
【発明が解決しようとする課題】
本発明の課題は、浄化槽設備の敷設に要する期間を短縮し得る浄化槽用擁護壁部材を提供することである。
【０００５】
本発明のもう一つの課題は、浄化槽設備用の穴での配置作業を容易に実行し得る浄化槽用擁護壁部材を提供することである。
【０００６】
本発明の更にもう一つの課題は、他の浄化槽用擁護壁部材と確実に結合し得る浄化槽用擁護壁部材を提供することである。
【０００７】
【課題を解決するための手段】
上述した課題を解決するため、本発明に係る浄化槽用擁護壁部材は、本体と、第１の孔と、第２の孔と、第３の孔とを含み、予め工場で製造される。
【０００８】
前記本体は、第１のＬ字状側面と、第２のＬ字状側面と、第１の内面と、第２の内面とを有する。前記第１及び第２のＬ字状側面は、互いに反対側に設けられる。
【０００９】
前記第１の内面は、前記第１のＬ字状側面と前記第２のＬ字状側面との間に設けられ、第１の側縁と、第２の側縁と、第３の側縁とを備える。前記第１の側縁は、前記第１のＬ字状側面との間に備えられる。前記第２の側縁は、前記第２のＬ字状側面との間に備えられる。前記第３の側縁は、前記第１の側縁の一端から前記第２の側縁の一端まで延びて備えられ、前記第２の側縁の前記一端が前記第１の側縁の前記一端とは反対側にある。
【００１０】
前記第２の内面は、前記第１のＬ字状側面と前記第２のＬ字状側面との間に設けられ、第４の側縁と、第５の側縁と、第６の側縁とを備える。前記第４の側縁は、前記第１のＬ字状側面との間に備えられる。前記第５の側縁は、前記第２のＬ字状側面との間に備えられる。前記第６の側縁は、前記第４の側縁の一端から前記第５の側縁の一端まで延びて備えられ、前記第５の側縁の前記一端が前記第４の側縁の前記一端とは反対側にある。
【００１１】
前記第１の孔は、前記第１の内面であって、前記第１のＬ字状側面と前記第２のＬ字状側面との中間部分であり、前記第３の側縁に近接する部分に設けられる。前記第２の孔は、前記第２の内面であって、前記第４の側縁及び前記第６の側縁に近接する部分に設けられる。前記第３の孔は、前記第２の内面であって、前記第５の側縁及び前記第６の側縁に近接する部分に設けられる。
【００１２】
本発明に係る浄化槽用擁護壁部材は、予め工場で製造されるものである。従って、本発明の浄化槽用擁護壁部材を利用して浄化槽を敷設する場合、浄化槽を敷設する穴に本発明の浄化槽用擁護壁部材を落とし込むだけでよく、浄化槽設備の敷設に要する期間が短縮される。本発明の浄化槽用擁護壁部材を利用すれば、一日で浄化槽設備を敷設することが可能となる。
【００１３】
更に、本発明の浄化槽用擁護壁部材は、第１の内面に第１の孔を備え、第２の内面に第２の孔と第３の孔とを備えている。これら第１〜第３の孔を利用して本発明の浄化槽用擁護壁部材を吊り下げ、浄化槽設備用の穴の中に本発明の浄化槽用擁護壁部材を、容易に配置することができる。例えば、クレーンを利用して配置作業を行う場合、クレーンのケーブルを上述の第１〜第３の孔に接続すればよい。
【００１４】
しかも、本発明の浄化槽用擁護壁部材は、第１の内面に第１の孔を備え、第２の内面に第２の孔と第３の孔とを備えているから、隣接してまたは対向して配置された他の浄化槽用擁護壁部材と確実に結合することができる。１つの浄化槽用擁護壁部材の第１の内面に備えられた第１の孔は、もう１つの浄化槽用擁護壁部材の第１の内面に備えられた第１の孔に接続することができる。１つの浄化槽用擁護壁部材の第２の内面に備えられた第３の孔は、もう１つの浄化槽用擁護壁部材の第２の内面に備えられた第２の孔に接続することができる。
【００１５】
本発明の他の目的、構成及び利点については、添付図を参照し、更に具体的に説明する。添付図面は単に例を示すに過ぎない。
【００１６】
【発明の実施の形態】
図１は本発明に係る浄化槽用擁護壁部材の斜視図、図２は図１の２−２線に沿った断面図、図３は図１の３−３線に沿った断面図である。図示のように、本発明に係る浄化槽用擁護壁部材は、予め工場で製造されたものであって、本体１００を含む。
【００１７】
本体１００は、鉄筋１２０で補強されたコンクリート１１０により製造される。本体１００は、水平方向及び垂直方向を含むＬ字状の形状であり、第１のＬ字状側面１１と、第２のＬ字状側面１２と、第１の内面１と、第２の内面２とを有する。第１のＬ字状側面１１及び第２のＬ字状側面１２は、互いに反対側に設けられる。
【００１８】
第１の内面１は、第１のＬ字状側面１１と第２のＬ字状側面１２との間に設けられる。第１の内面１は、水平方向に設けられる。第１の内面１は、第１の側縁１０１と、第２の側縁１０２と、第３の側縁１０３とを備える。第１の側縁１０１は、第１のＬ字状側面１１との間に備えられる。第２の側縁１０２は、第２のＬ字状側面１２との間に備えられる。第３の側縁１０３は、第１の側縁１０１の一端から第２の側縁１０２の一端まで延びて備えられる。第２の側縁１０２の前記一端は、第１の側縁１０１の前記一端とは反対側にある。
【００１９】
第２の内面２は、第１のＬ字状側面１１と第２のＬ字状側面１２との間に設けられる。第２の内面２は、垂直方向に設けられる。第２の内面２は、第４の側縁１０４と、第５の側縁１０５と、第６の側縁１０６とを備える。第４の側縁１０４は、第１のＬ字状側面１１との間に備えられる。第５の側縁１０５は、第２のＬ字状側面１２との間に備えられる。第６の側縁１０６は、第４の側縁１０４の一端から第５の側縁１０５の一端まで延びて備えられる。第５の側縁１０５の前記一端は、第４の側縁１０４の前記一端とは反対側にある。
【００２０】
本発明に係る浄化槽用擁護壁部材は、予め工場で製造されるから、浄化槽設備の敷設に要する施工期間が短縮される。予め工場で製造された浄化槽用擁護壁部材は、浄化槽の配置される穴に落とし込むだけでよく、枠を形成してコンクリートを流し込む等の作業が不要となる。施工期間が短縮されるのは、最も大きな理由として、作業者が、更なる作業の前にコンクリートの硬化を待たなくて済むからである。
【００２１】
更に、本発明に係る浄化槽用擁護壁部材は、第１の孔４１と、第２の孔４２と、第３の孔４３とを含む。第１の孔４１は、第１の内面１であって、第１のＬ字状側面１１と第２のＬ字状側面１２との中間部分であり、第３の側縁１０３に近接する部分に設けられる。実施例では、第１の内面１であって、第１のＬ字状側面１１と第２のＬ字状側面１２との中間部分であり、第３の側縁１０３に近接する部分に、凹部７０が設けられており、この凹部７０に第１の孔４１が設けられている。
【００２２】
第２の孔４２は、第２の内面２であって、第４の側縁１０４及び第６の側縁１０６に近接する部分に設けられる。詳しくは、第２の孔４２は、第２の内面２において、第４の側縁１０４及び第６の側縁１０６が合わさるコーナに設けられている。
【００２３】
第３の孔４３は、第２の内面２であって、第５の側縁１０５及び第６の側縁１０６に近接する部分に設けられる。詳しくは、第３の孔４３は、第２の内面２において、第５の側縁１０５及び第６の側縁１０６が合わさるコーナに設けられている。
【００２４】
図４は、図２の部分拡大断面図であって、図１に図示された浄化槽用擁護壁部材に含まれる第１の孔を詳細に示す部分拡大断面図である。図４を参照すると、第１の孔４１は金属部材４１２の内側のネジ孔４１０であり、金属部材４１２はコンクリート１１０にしっかりと埋め込まれている。
【００２５】
図５は、図３の部分拡大断面図であって、図１に図示された浄化槽用擁護壁部材に含まれる第２の孔または第３の孔を詳細に示す部分拡大断面図である。図５を参照すると、第２、第３の孔４２、４３の構成は、上述した第１の孔４１の構成と同様である。第２の孔４２は金属部材４２２の内側に設けられたネジ孔４２０であり、金属部材４２２はコンクリート１１０にしっかりと埋め込まれている。第３の孔４３も金属部材４３２の内側に設けられたネジ孔４３０であり、金属部材４３２がコンクリート１１０にしっかりと埋め込まれている。
【００２６】
図６は、図４に対応した部分拡大断面図であって、図４に図示された第１の孔にボルトを挿入する工程を示す部分拡大断面図である。図７は、図５に対応した部分拡大断面図であって、図５に図示された第２の孔または第３の孔にボルトを挿入する工程を示す部分拡大断面図である。図６、図７を参照すると、ボルト５は、ネジ部５１と、リング状ヘッド５２とを含んでいる。ボルト５は、金属部材４１２、４２２、４３２のネジ孔４１０、４２０、４３０にねじ込むことにより、第１〜第３の孔４１〜４３に挿入される。ボルト５のネジ部５１は、金属部材４１２、４２２、４３２のネジ孔４１０、４２０、４３０と組み合わさるように形成されている。
【００２７】
図６、図７に示すようにボルト５を挿入する工程は、浄化槽用擁護壁部材が製造される段階で実行してもよいし、浄化槽用擁護壁部材が設置される段階で実行してもよい。
【００２８】
図８は、図１に図示された浄化槽用擁護壁部材を用いて、図６、図７に示された設置工程を実行した後の状態を示す斜視図である。図８を参照すると、第１の内面１の第１の孔４１、及び、第２の内面２の第２、第３の孔４２、４３に、ボルト５が挿入されている。
【００２９】
次に、本発明に係る浄化槽用擁護壁部材を設置する工程を説明する。図９は、図８に図示された浄化槽用擁護壁部材の設置工程を示す斜視図である。図示において、参照符号３は、浄化槽用擁護壁部材を設置する穴であり、穴３の底部にはコンクリート基礎４が設けられている。また、参照符号１０Ａは第１の浄化槽用擁護壁部材であり、この第１の浄化槽用擁護壁部材１０Ａは、図８に図示された浄化槽用擁護壁部材と同一のものである。ボルト５のリング状ヘッド５２はケーブル７に接続されており、ケーブル７はクレーンフック９に接続されている。クレーンフック９により、第１の浄化槽用擁護壁部材１０Ａは矢印ｄ１の方向に穴３に落とし込まれる。
【００３０】
第１の浄化槽用擁護壁部材１０Ａは、第１の内面１に第１の孔４１を備え、第２の内面２に第２の孔４２と第３の孔４３とを備えているから、容易に設置することができる。
【００３１】
図１０は、図９に示された設置工程の次の設置工程を示す斜視図である。図示において参照符号１０Ｂは第２の浄化槽用擁護壁部材であり、この第２の浄化槽用擁護壁部材１０Ｂは第１の浄化槽用擁護壁部材１０Ａと同一のものである。図１０を参照すると、第１の浄化槽用擁護壁部材１０Ａと同様に、第２の浄化槽用擁護壁部材１０Ｂも穴３に落とし込まれる。
【００３２】
図１１は、図１に図示された浄化槽用擁護壁部材に、図９、１０に示された設置工程を行った状態を示す斜視図、図１２は図１１の１２−１２線に沿った断面図、図１３は図１１の１３−１３線に沿った断面図である。である。図１０に示すように、第２の浄化槽用擁護壁部材１０Ｂは、穴３に落とし込まれ、コンクリート基礎４上に配置される。これより、図１１に示すように、第２の浄化槽用擁護壁部材１０Ｂは、既に穴３に配置された第１の浄化槽用擁護壁部材１０Ａの隣に配置される。
【００３３】
浄化槽用擁護壁部材１０Ｂは、第１の内面１に第１の孔４１を備え、第２の内面２に第２の孔４２と第３の孔４３とを備えているから、浄化槽用擁護壁部材１０Ａの隣に容易に設置することができる。
【００３４】
第１、第２の浄化槽用擁護壁部材１０Ａ、１０Ｂが穴３のコンクリート基礎４上に配置された後、第１〜第３の孔４１〜４３に挿入されたボルト５が取り外される。この構造において、第１の浄化槽用擁護壁部材１０Ａにおける第２の内面２の第３の孔４３が、第２の浄化槽用擁護壁部材１０Ｂにおける第２の内面２の第２の孔４２に近接する（図１３を参照）。
【００３５】
図１４は、図１３に対応した断面図であって、図１１に示された設置工程の次の設置工程を示す断面図である。図１４を参照すると、第１の浄化槽用擁護壁部材１０Ａの第３の孔４３と、第２の浄化槽用擁護壁部材１０Ｂの第２の孔４２とが、結合具５０により互いに接続され、第１、第２の浄化槽用擁護壁部材１０Ａ、１０Ｂが互いに結合される。このようにして、第１の浄化槽用擁護壁部材１０Ａの第３の孔４３と、第２の浄化槽用擁護壁部材１０Ｂの第２の孔４２とにより、第１、第２の浄化槽用擁護壁部材１０Ａ、１０Ｂが確実に互いに結合される。
【００３６】
図１５は、図１１に対応した斜視図であって、図１４に示された設置工程の次の設置工程を示す斜視図であり、図１６は図１５の１６−１６線に沿った断面図である。図１５、図１６に示すように、第３、第４の浄化槽用擁護壁部材１０Ｃ、１０Ｄが、穴３のコンクリート基礎４上に配置されている。
【００３７】
第３の浄化槽用擁護壁部材１０Ｃは、第１の浄化槽用擁護壁部材１０Ａに対向して鏡像の関係となるように配置されており、第４の浄化槽用擁護壁部材１０Ｄは、第２の浄化槽用擁護壁部材１０Ｂに対向して鏡像の関係となるように配置されている。第３、第４の浄化槽用擁護壁部材１０Ｃ、１０Ｄは、互いに近接し、かつ並んで配置されている。第３、第４の浄化槽用擁護壁部材１０Ｃ、１０Ｄは、互いに同一のものである。
【００３８】
図１７は図１５の拡大平面図である。図９〜図１６を参照して説明したように、第１〜第４の浄化槽用擁護壁部材１０Ａ〜１０Ｄが穴３に配置されると、図１７に示すように、第１の浄化槽用擁護壁部材１０Ａの凹部７０と、第３の浄化槽用擁護壁部材１０Ｃの凹部７０とが、互いに向き合い、凹部８０を形成する。同様に、第２の浄化槽用擁護壁部材１０Ｂの凹部７０と、第４の浄化槽用擁護壁部材１０Ｄの凹部７０とが、互いに向き合い、凹部８０を形成する。
【００３９】
図１８は、図１７に対応した拡大平面図であって、図１５に示された設置工程の次の設置工程を示す斜視図である。図１８を参照すると、第１の浄化槽用擁護壁部材１０Ａの第１の孔４１と、第３の浄化槽用擁護壁部材１０Ｃの第１の孔４１とが、結合具５０により互いに接続され、第１、第３の浄化槽用擁護壁部材１０Ａ、１０Ｃが互いに結合される。同様にして、第２の浄化槽用擁護壁部材１０Ｂの第１の孔４１と、第４の浄化槽用擁護壁部材１０Ｄの第１の孔４１とが、結合具５０により互いに接続され、第２、第４の浄化槽用擁護壁部材１０Ｂ、１０Ｄが互いに結合される。このようにして、第１〜第４の浄化槽用擁護壁部材１０Ａ〜１０Ｄに備えられた第１の孔４１により、第１〜第４の浄化槽用擁護壁部材１０Ａ〜１０Ｄが確実に互いに結合される。
【００４０】
第１の浄化槽用擁護壁部材１０Ａの第１の孔４１を、第３の浄化槽用擁護壁部材１０Ｃの第１の孔４１に接続する結合具５０は、第１、第３の浄化槽用擁護壁部材１０Ａ、１０Ｃの２つの凹部７０により形成される凹部８０に適合する形状である。この結合具５０は、上面が、第１、第３の浄化槽用擁護壁部材１０Ａ、１０Ｃの第１の内面１と等しい平面となる。同様にして、第２の浄化槽用擁護壁部材１０Ｂの第１の孔４１を、第４の浄化槽用擁護壁部材１０Ｄの第１の孔４１に接続する結合具５０も、第２、第４の浄化槽用擁護壁部材１０Ｂ、１０Ｄの２つの凹部７０により形成される凹部８０に適合する形状である。この結合具５０も、上面が、第２、第４の浄化槽用擁護壁部材１０Ｂ、１０Ｄの第１の内面１と等しい平面となる。
【００４１】
図１９は、図１６に対応した断面図であって、浄化槽を設置する工程を示す断面図である。図１９を参照すると、浄化槽９０が、穴３の中であって、第１〜第４の浄化槽用擁護壁部材１０Ａ〜１０Ｄの第１の内面１の上に配置されている。浄化槽９０は、開口部９１を有しており、この開口部９１は蓋９５により閉じられている。
【００４２】
穴３の中であって、第１〜第４の浄化槽用擁護壁部材１０Ａ〜１０Ｄの第１の内面１の上に、浄化槽９０を配置した後、図２０に示すように、浄化槽９０の周りの領域が埋められる。これにより、浄化槽９０が、地表面５５の下に生められ、蓋９５のみが地表面５５に露出されている。
【００４３】
図示はされていないが、浄化槽９０の周りの領域を埋める前に、他に複数の設置工程も実行される。これらの工程は、浄化槽９０の１つの側面を、住宅からの排水管に接続する工程を含んでもよいし、浄化槽９０のもう１つの側面を、下水道への排水管に接続する工程を含んでもよい。また、上述の設置工程は、浄化槽９０を、第１〜第４の浄化槽用擁護壁部材１０Ａ〜１０Ｄに接続する工程を含んでいてもよい。
【００４４】
図２１は、本発明に係る浄化槽用擁護壁部材の別の実施例の斜視図である。図において、図１に図示された構成部分と同一の構成部分については、同一の参照符号を付してある。図２１に図示された浄化槽用擁護壁部材は、第２の内面２に第４の穴４５及び第５の穴５５を備えている点を除いては、図１に図示された浄化槽用擁護壁部材と同一の構成である。
【００４５】
第４の孔４４は、第２の内面２であって、第４の側縁１０４に近接する部分であり、第２の孔４２と間隔を隔てた部分に設けられる。第５の孔４５は、第２の内面２であって、第５の側縁１０５に近接する部分であり、第３の孔４３と間隔を隔てた部分に設けられる。このような構造によれば、浄化槽用擁護壁部材がより確実に他の浄化槽用擁護壁部材に結合される。
【００４６】
図２２は、図２１に図示された浄化槽用擁護壁部材の設置工程を示す斜視図であり、図２３は、図２２の２３−２３線に沿った断面図であり、図２４は図２２の２４−２４線に沿った断面図である。図示において、参照符号１０Ａ、１０Ｂは第１、第２の浄化槽用擁護壁部材であり、これら第１、第２の浄化槽用擁護壁部材１０Ａ、１０Ｂは図２１に図示された浄化槽用擁護壁部材と同一のものである。穴３において、第１、第２の浄化槽用擁護壁部材１０Ａ、１０Ｂを、互いに隣り合うように配置すると、図２４に示すように、第１の浄化槽用擁護壁部材１０Ａの第３の孔４３と、第２の浄化槽用擁護壁部材１０Ｂの第２の孔４２とが互いに近接する。更に、第１の浄化槽用擁護壁部材１０Ａの第５の孔４５と、第２の浄化槽用擁護壁部材１０Ｂの第４の孔４４とが互いに近接する。
【００４７】
図２５は、図２４に対応した断面図であって、図２４に示された設置工程の次の設置工程を示す断面図である。図２５を参照すると、第１の浄化槽用擁護壁部材１０Ａの第３の孔４３と、第２の浄化槽用擁護壁部材１０Ｂの第２の孔４２とが、１つの結合具５０により互いに接続され、第１、第２の浄化槽用擁護壁部材１０Ａ、１０Ｂが互いに結合される。更に、第１の浄化槽用擁護壁部材１０Ａの第５の孔４５と、第２の浄化槽用擁護壁部材１０Ｂの第４の孔４４とが、もう１つの結合具５０により互いに接続され、第１、第２の浄化槽用擁護壁部材１０Ａ、１０Ｂが互いに結合される。
【００４８】
このようにして、第１の浄化槽用擁護壁部材１０Ａの第３の孔４３と、第２の浄化槽用擁護壁部材１０Ｂの第２の孔４２とに加えて、第１の浄化槽用擁護壁部材１０Ａの第５の孔４５と、第２の浄化槽用擁護壁部材１０Ｂの第４の孔４４とにより、第１、第２の浄化槽用擁護壁部材１０Ａ、１０Ｂが、より確実に互いに結合される。
【００４９】
【発明の効果】
以上述べたように、本発明によれば、次のような効果が得られる。
（ａ）浄化槽設備の敷設に要する期間を短縮し得る浄化槽用擁護壁部材を提供することができる。
（ｂ）浄化槽設備用の穴での配置作業を容易に実行し得る浄化槽用擁護壁部材を提供することができる。
（ｃ）他の浄化槽用擁護壁部材と確実に結合し得る浄化槽用擁護壁部材を提供することができる。
【図面の簡単な説明】
【図１】本発明に係る浄化槽用擁護壁部材の斜視図である。
【図２】図１の２−２線に沿った断面図である。
【図３】図１の３−３線に沿った断面図である。
【図４】図２の部分拡大断面図であって、図１に図示された浄化槽用擁護壁部材に含まれる第１の孔を詳細に示す部分拡大断面図である。
【図５】図３の部分拡大断面図であって、図１に図示された浄化槽用擁護壁部材に含まれる第２の孔または第３の孔を詳細に示す部分拡大断面図である。
【図６】図４に対応した部分拡大断面図であって、図１に図示された浄化槽用擁護壁部材の設置工程を示す部分拡大断面図である。
【図７】図５に対応した部分拡大断面図であって、図１に図示された浄化槽用擁護壁部材の設置工程を示す部分拡大断面図である。
【図８】図１に図示された浄化槽用擁護壁部材に、図６、図７に示された設置工程を行った状態を示す斜視図である。
【図９】図８に図示された浄化槽用擁護壁部材の設置工程を示す斜視図である。
【図１０】図９に示された設置工程の次の設置工程を示す斜視図である。
【図１１】図１に図示された浄化槽用擁護壁部材に、図９、１０に示された設置工程を行った状態を示す斜視図である。
【図１２】図１１の１２−１２線に沿った断面図である。
【図１３】図１１の１３−１３線に沿った断面図である。
【図１４】図１３に対応した断面図であって、図１１に示された設置工程の次の設置工程を示す断面図である。
【図１５】図１１に対応した斜視図であって、図１４に示された設置工程の次の設置工程を示す斜視図である。
【図１６】図１５の１６−１６線に沿った断面図である。
【図１７】図１５の拡大平面図である。
【図１８】図１７に対応した拡大平面図であって、図１５に示された設置工程の次の設置工程を示す斜視図である。
【図１９】図１６に対応した断面図であって、浄化槽を設置する工程を示す断面図である。
【図２０】図１９に対応した断面図であって、図１９に示された工程の次の工程を示す断面図である。
【図２１】本発明に係る浄化槽用擁護壁部材の別の実施例の斜視図である。
【図２２】図２１に図示された浄化槽用擁護壁部材の設置工程を示す斜視図である。
【図２３】図２２の２３−２３線に沿った断面図である。
【図２４】図２２の２４−２４線に沿った断面図である。
【図２５】図２４に対応した断面図であって、図２４に示された設置工程の次の設置工程を示す断面図である。
【符号の説明】
１００                本体
１１                  第１のＬ字状側面
１２                  第２のＬ字状側面
１                    第１の内面
１０１                第１の側縁
１０２                第２の側縁
１０３                第３の側縁
２                    第２の内面
１０４                第４の側縁
１０５                第５の側縁
１０６                第６の側縁
４１                  第１の孔
４２                  第２の孔
４３                  第３の孔
【図１】
0004388220.tif 000002
【図２】
0004388220.tif 000003
【図３】
0004388220.tif 000004
【図４】
0004388220.tif 000005
【図５】
0004388220.tif 000006
【図６】
0004388220.tif 000007
【図７】
0004388220.tif 000008
【図８】
0004388220.tif 000009
【図９】
0004388220.tif 000010
【図１０】
0004388220.tif 000011
【図１１】
0004388220.tif 000012
【図１２】
0004388220.tif 000013
【図１３】
0004388220.tif 000014
【図１４】
0004388220.tif 000015
【図１５】
0004388220.tif 000016
【図１６】
0004388220.tif 000017
【図１７】
0004388220.tif 000018
【図１８】
0004388220.tif 000019
【図１９】
0004388220.tif 000020
【図２０】
0004388220.tif 000021
【図２１】
0004388220.tif 000022
【図２２】
0004388220.tif 000023
【図２３】
0004388220.tif 000024
【図２４】
0004388220.tif 000025
【図２５】
0004388220.tif 000026